(57)【要約】ポール管（１）の下側自由端部（２５）に留め付け可能な、ほぼ円筒形のスリーブ（３）であって、前記ポール管の前記下側自由端部を受け入れるための上向きに開いた止まり穴（２２）を有するスリーブ（３）と、形状結合及び摩擦結合的に着脱可能に前記スリーブに留め付けることができる交換可能な要素（２）とを備えたポール、特に、トレッキングポール、クロスカントリースキーポール、ノルディックウォーキングポール、又はアルペンスキーポールのためのアタッチメント。前記スリーブは、ヘッド領域（４）と、下向きに隣接するボディ領域（５）とを有し、前記ボディ領域の少なくとも１つの軸方向部分に雄ねじ（６）を有する。前記交換可能な要素は、その下側端部（２１）に先端部又は転がり面を有し、前記交換可能な要素は、前記スリーブを受け入れるための軸方向上方に開いた止まり穴（１５）を有する。【選択図】図１
2018514294.tif 000002
【特許請求の範囲】
【請求項１】
ポール、特に、トレッキングポール、クロスカントリースキーポール、ノルディックウォーキングポール、又はアルペンスキーポールのためのアタッチメントであって、
前記アタッチメントは、ポール管（１）の下側自由端部（２５）に留め付け可能で、且つ、前記ポール管（１）の前記下側自由端部（２５）を受け入れるための上向きに開いた止まり穴（２２）を有する、実質的に円筒形のスリーブ（３）を有し、
交換可能な要素（２）が、形状結合及び摩擦結合的に取り外し可能に前記スリーブ（３）に前記スリーブ（３）に留め付け可能であり、
前記スリーブ（３）は、ヘッド領域（４）と、前記ヘッド領域（４）に下方に隣接するボディ領域（５）とを有し、
前記スリーブ（３）の前記ボディ領域（５）の少なくとも１つの軸方向部分が雄ねじ（６）を有し、
前記交換可能な要素（２）は、その下側端部（２１）に先端部又は転がり面を有し、又は、その下側端部（２１）に先端部（１６）がはめ込まれており、
前記交換可能な要素（２）は、前記スリーブ（３）を受け入れるための軸方向上方に開いた止まり穴（１５）を有し、
前記交換可能な要素（２）は、その止まり穴（１５）内に雌ねじ（２１’）を有し、前記雌ねじは、前記交換可能な要素（２）を前記スリーブ（３）に留め付ける目的で、前記スリーブ（３）上に配置される前記雄ねじ（６）に係合するのに適していることを特徴とする前記アタッチメント。
【請求項２】
前記交換可能な要素（２）は、前記スリーブ（３）に対しねじり防止部を有し、これは、前記スリーブ（３）上に取り付けられた状態において、前記交換可能な要素（２）の前記ポール管（１）の長手軸（Ｓ）の周りの円周方向（Ｕ）の回転を防ぐことを特徴とする、請求項１に記載のアタッチメント。
【請求項３】
前記交換可能な要素（２）は前記軸方向（Ｓ）に延びる少なくとも１つのラッチラグ（１２）を有し、これは、前記スリーブ（３）上に配置される、対応する凹部（８）、好ましくは軸方向の対応する凹部（８）に係合するのに適しており、
前記交換可能な要素（２）は、好ましくは、前記軸方向に延びるただ１つだけのラッチラグ（１２）を有し、さらに好ましくは、前記スリーブ（３）は、対応する凹部（８）、好ましくは軸方向の対応する凹部（８）を１つだけ有することを特徴とする、請求項１又は２に記載のアタッチメント。
【請求項４】
前記交換可能な要素（２）は、プレート領域（１１，１１’）、好ましくは非対称のプレート領域（１１，１１’）を有し、前記プレート領域（１１，１１’）は、好ましくは、実質的に、ポールの長手軸（Ｓ）に垂直な平面（Ｅ）で延び、前記プレート領域（１１’）は、好ましくは、その下側端部に歯（２３’）を有することを特徴とする、請求項１〜３のいずれかに記載のアタッチメント。
【請求項５】
前記１つだけのラッチラグ（１２）は、前記交換可能な要素（２）の、走行方向（Ｌ）と逆に向く側に配置され、この側に、前記プレート領域（１１，１１’）は、前記走行方向（Ｌ）と反対の方向に測定して、最大径（ｄ３）を有することを特徴とする、請求項３及び４に記載のアタッチメント。
【請求項６】
前記交換可能な要素（２）は、好ましくは前記プレート領域の変形により、特に好ましくは前記プレート領域（１１，１１’）を前記軸方向に押し下げることにより、前記凹部（８）から前記ラッチラグ（１２）を取り除くことによって、及び、これに続いて、前記交換可能な要素（２）を、前記スリーブ（３）からねじをゆるめて外すことによって、前記スリーブ（３）から着脱可能であることを特徴とする、請求項４又は５に記載のアタッチメント。
【請求項７】
前記プレート領域（１１，１１’）は、補強リブ（１８）を有し、この補強リブ（１８）は、好ましくは、前記ラッチラグ（１２）から、前記プレート領域（１１，１１’）の前記最大径（ｄ３）の位置にある前記プレート領域（１１，１１’）の径方向先端部（２４）まで、前記走行方向（Ｌ）に反対の方向に延びることを特徴とする、請求項３〜６のいずれかに記載のアタッチメント。
【請求項８】
前記交換可能な要素（２）は、前記ラッチラグ（１２）を前記凹部（８）から取り除くことによって、及び、これに続いて前記交換可能な要素（２）をねじをゆるめて外すことによって、前記スリーブ（３）から取り外すことができ、
前記ラッチラグ（１２）は、この目的のために、前記凹部（８）にラッチされた状態において、少なくとも上部領域で、前記スリーブ（３）の表面輪郭を越えて突出し（３２）、
及び／又は、前記凹部（８）は、前記ラッチされた状態において、前記ラッチラグ（１２）の自由端部の軸方向上側に、工具（３０）との係合のための凹部（３１）をあけておき、
及び／又は、前記交換可能な要素（２）に、前記ポールプレート（１１）が押し下げられるときの前記ラッチラグ（１２）の可動性を促進し、好ましくは、前記交換可能な要素（２）の壁内のスロット（３３）の形を有する要素が設けられ、
及び／又は、前記ラッチラグ（１２）は、ロッカーの形をした可動領域（３５）を介して前記交換可能な要素（２）上に一体的に形成され、及び、好ましくは、前記プレート（１１）の方を向く下部領域に押圧領域（３４）が配置され；
及び／又は、前記交換可能な要素（２）の、前記スリーブ（２）のヘッド領域（４）の方を向く上縁（２０）は、円周方向において前記ラッチラグ（１２）の片側又は好ましくは両側に、前記ポールプレート（１１）に向かって前記軸方向に延びるくぼみ（３８）を有し、その結果、前記ラッチラグ（１２）の軸方向高さ（Ｈ）と、結果として前記ラッチラグ（１２）の自由長が延長され、好ましくは、前記軸方向高さ（Ｈ）は、くぼみ（３８）のない前記ラッチラグ（１２）の高さ（ｈ）より少なくとも１．５倍、好ましくは１．７５倍大きく、及び／又は、さらに好ましくは、前記円周方向における前記ラッチラグ（１２）の横の側面（３８）は傾斜しており；
及び／又は、前記交換可能な要素（２）は、前記ラッチラグ（１２）を備える部分的に可動な領域（３７）を有し、この領域（３７）は、前記交換可能な要素（２）の前記上部領域を形成し、前記ラッチラグ（１２）に対向して位置する押圧領域（３６）の操作によって、前記ラッチラグ（１２）を前記凹部（８）から押し出すことができるように、前記交換可能な要素（２）の前記下部領域に対して径方向に移動できるように設計されていることを特徴とする、請求項３〜７のいずれかに記載のアタッチメント。
【請求項９】
前記スリーブ（３）の前記ボディ領域（５）上の前記雄ねじ（６）は、前記ヘッド領域（４）から軸方向に離間しており、及び／又は、好ましくは、前記ヘッド領域（４）は、前記スリーブ（３）の前記ボディ領域（５）から環状の第１の段部（７）によって分離されていることを特徴とする、請求項１〜８のいずれかに記載のアタッチメント。
【請求項１０】
前記スリーブ（３）の上側端部にある前記スリーブ（３）の上縁（９）が、前記ポールの長手軸（Ｓ）に垂直に延びる平面（Ｅ１）に対し傾けて配置される平面（Ｅ２）において延び、その結果、前記スリーブ（３）は、前記ポールの長手軸（Ｓ）に平行な長手方向に測定して、前記スリーブ（３）の前記上縁（９）から前記スリーブ（３）の下側端部にあるスリーブの下縁（１０）まで測定した長さが異なる（ｌ１，ｌ２）ことを特徴とする、請求項１〜９のいずれかに記載のアタッチメント。
【請求項１１】
前記スリーブ（３）の前記ヘッド領域（４）は円錐形であり、前記ヘッド領域（４）の径は、前記ボディ領域（５）に向かって下方に広がることを特徴とする、請求項１〜１０のいずれかに記載のアタッチメント。
【請求項１２】
前記スリーブ（３）の前記ヘッド領域（４）の前記下縁（１３）は、前記交換可能な要素（２）の上側端部にある前記交換可能な要素（２）の前記上縁（２０）と同じ径（ｄ２）を有することを特徴とする、請求項１〜１１のいずれかに記載のアタッチメント。
【請求項１３】
前記スリーブ（３）の前記ヘッド領域（４）と前記ボディ領域（５）の間の環状の第１の段部（７）が、前記交換可能な要素（２）の上側端部にある前記交換可能な要素（２）の上縁（２０）のための上側止め部を形成することを特徴とする、請求項１〜１２のいずれかに記載のアタッチメント。
【請求項１４】
上側自由端部にポール取っ手部を備えるポール管（１）を有し、前記ポール管（１）の前記下側自由端部（２５）が、請求項１〜１３のいずれかに記載のアタッチメントを有するポール、特に、トレッキングポール、クロスカントリースキーポール、ノルディックウォーキングポール、又はアルペンスキーポール。
【請求項１５】
前記スリーブ（３）は、好ましくは、例えば、接着接合及び／又はプレス加工により、素材結合、摩擦結合、又は形状結合によって、前記ポール管（１）の前記下側自由端部（２５）に固定して取り付けられることを特徴とする、請求項１３に記載のポール。
【発明の詳細な説明】
【技術分野】
【０００１】
本発明は、クロスカントリースキーポール、ハイキングポール、ノルディックウォーキングポール、アルペンスキーポール等のための、交換可能なプレートシステムに関する。このシステムを用いて、各種先端アタッチメント、すなわち、プレートだけでなく、ポール用の他の端部アタッチメントも、機械的に安定した容易に交換可能な方法で、ポール管に留め付けることができる。
【背景技術】
【０００２】
トレッキングポール、クロスカントリースキーポール、ノルディックウォーキングポール、又はアルペンスキーポールは、それらの上側自由端部に取っ手を、それらの下側自由端部に、たいていの場合ゴム緩衝器の形をした先端部又は転がり面を有する。特にノルディックウォーキングの分野では、先端部と転がり面との間で簡単に切り替えることのできるシステムもある。この場合、先端要素は、例えば、雪等の柔らかい下にある表面に深く沈み込みすぎないようにするために、プレート状に拡張した領域を、付加的に有することもできる。こうした先端要素は、使用時には外れないように、下側自由端部にできるだけうまく固定されなければならない。通常、上記下側自由端部は円錐状の自由端部であり、すなわち、ポールの径が下側自由端部に向かって細くなる。その結果、この領域は、非常に大きな負荷がかかるにもかかわらず、径が小さいことにより、特に安定しているわけでも摩耗に強いわけでもない。このため、先端要素は、一般的に別個の物体として形成され、これは上から止まり穴を有し、この止まり穴の中にポール管の自由端部が自動ロック式で押し込まれる、及び／又は、接着接続される。
【０００３】
このような留め付けの利点は、先端要素とポール管との間の接続が概して良好なことであるが、修理の必要があるため、又は、例えば使用者の要求が変わったことにより根本的に異なる先端要素を装着しようとする場合、先端要素を容易に交換することができないことが欠点である。
【０００４】
特許文献１は、交換可能なプレートシステムを開示する。ここでは、軸方向に互いから離間する２つの延長部が管の下側端部に配置されており、この間に、プレートアタッチメントの径方向の舌部をスナップ留めすることができる。特許文献２は、ポール先端部を開示し、ポール先端部上にバヨネット式接続（Ｂａｊｏｎｅｔｔｖｅｒｓｃｈｌｕｓｓｅｓ）によって各種プレートを下側ポール端部に固定できる。特許文献３は、スノープレートを備えたスキーポールを開示し、このスノープレートはスキーポールに着脱可能に留め付けることができる。この場合、プレートアタッチメントはフックを備えたラッチレバーを有し、このフックが、ポール上に下から取り付ける際、ポール管の端部にある傾斜部を備えた歯の後ろ側に引っかかる。レバーを押し下げると、フックが歯から再び外れて、プレートが解放される。
【先行技術文献】
【特許文献】
【０００５】
【特許文献１】ＥＰ  １  ０２５  ８８３  Ｂ１
【特許文献２】ＥＰ  ０  ９０６  ７７６  Ａ１
【特許文献３】ＥＰ  ０  ０３５  ２００
【発明の概要】
【発明が解決しようとする課題】
【０００６】
従って、本発明の目的は、特に、上記使用のための、すなわち、特に、トレッキングポール、クロスカントリースキーポール、ノルディックウォーキングポール、又はアルペンスキーポールのための、交換可能な要素を備えるアタッチメントの形をした改良された先端要素を提供することである。特に、この交換可能な要素は、ポール管の下側自由端部に着脱可能に留め付けることができるよう意図されている。
【課題を解決するための手段】
【０００７】
上記目的は、請求項１の特徴によって達成される。
【０００８】
ポール、特に、トレッキングポール、クロスカントリースキーポール、ノルディックウォーキングポール、又はアルペンスキーポールのための、本発明によるアタッチメントは、ポール管の下側自由端部に留め付け可能な、ほぼ円筒形のスリーブを有し、このスリーブは、ポール管の下側自由端部を受け入れるための、上向きに開いた止まり穴、すなわち下向きに閉じた凹部を有する。前記スリーブに、前記スリーブに、交換可能な要素が、形状結合的（Ｆｏｒｍｓｃｈｌｕｅｓｓｉｇ）及び摩擦結合的（Ｋｒａｆｔｓｃｈｌｕｅｓｓｉｇ）に着脱可能に留め付けられる。従って、前記スリーブは、いわば、ポール管と交換可能な要素との間のアダプタとして機能する。
【０００９】
前記スリーブは、ヘッド領域と、このヘッド領域に下向きに、すなわち、ポール先端部の方に向かって隣接するボディ領域とを有し、前記スリーブのボディ領域の少なくとも１つの軸方向部分が雄ねじを有する。この交換可能な要素は、その下側端部に先端部又は転がり面を有する。これに代えて、先端部が、交換可能な要素の下側端部にはめ込まれる。さらに、交換可能な要素は、前記スリーブを受け入れるための軸方向の止まり穴を有し、これは、上向きに、すなわち、ポールの取っ手の方向に向かって開いている。交換可能な要素は、その止まり穴、又は、止まり穴の内壁の少なくとも１つの軸方向部分に雌ねじを有し、該雌ねじは、スリーブに交換可能な要素を留め付けるために、スリーブ上に配置される前記雄ねじに係合するのに適している。
【００１０】
前記アタッチメントの特に好ましい実施形態は、前記スリーブに対しねじり防止部を有する交換可能な要素を有する。このねじり防止部は、交換可能な要素がスリーブに取り付けられるとき、交換可能な要素の、ポール管の長手軸周りの円周方向の回転を防ぐ。このために、交換可能な要素は、好ましくは、軸方向に延びるラッチラグ（Ｒａｓｔｎａｓｅ）を少なくとも１つ有し、このラッチラグは、スリーブ上に配置される対応する凹部に係合するのに適している。前記凹部は、好ましくは、スリーブのヘッド領域に配置され、好ましくは、ヘッド領域の下縁に配置される。特に好ましい実施形態では、交換可能な要素は、軸方向に延びるラッチラグを１つだけ有するが、ラッチラグを複数配置することも可能である。
【００１１】
本発明の交換可能な要素は、有利には、プレート領域、好ましくは非対称のプレート領域を有し、このプレート領域は、好ましくは、実質的に、ポールの長手軸に垂直な平面において、好ましくは、一方向だけに、又は、交換可能な要素の片側に向かってのみ、好ましくは走行方向（Ｌａｕｆｒｉｃｈｔｕｎｇ）とは逆の方向に延びる。
【００１２】
交換可能な要素がラッチラグを１つだけ有する場合、このラッチラグは、好ましくは、交換可能な要素の、走行方向とは逆に向く側、すなわち、プレート領域が−走行方向と反対の向きに測定して−最大径を有する側に配置される。この非対称な配置により、プレート領域の変形、及び、ラッチラグのラッチ掛け及びラッチ外しが容易となる。
【００１３】
交換可能な要素をスリーブから取り外すためには、まず、ラッチラグをスリーブの凹部から取り除かなければならない。これは、好ましくは、プレート領域の変形により、特に好ましくは、好ましくはプレート表面の外縁に圧力を加えて、プレート領域を軸方向下向きに、すなわち、ポールの先端部に向かって押し下げることによって達成される。例えば、別の交換可能な要素との交換のためには、ラッチラグが凹部の領域から出てしまうまで、通常、加えた圧力を保ったまま、交換可能な要素をスリーブからねじをゆるめて、その後、外す。
【００１４】
さらなる好ましい実施形態によると、この過程を容易にするために、ラッチラグは、この目的のために、凹部にラッチされた状態で、少なくとも上部領域においてスリーブの表面輪郭の上に突出することができ、その結果、ラッチラグを、例えば工具を用いて、あるいは指で、凹部から持ち上げて取り出すことができる。
【００１５】
さらなる好ましい実施形態によると、上記凹部は、ラッチされた状態で、ラッチラグの自由端部の軸方向上側に（あるいは横方向に）、工具との係合のための凹部をあけておくことができる。例えば、上記凹部を、単に、ラッチラグより上方にいくらか長くなるように構成してもよい。
【００１６】
さらなる好ましい実施形態によると、交換可能な要素において、ポールプレートが押し下げられるときのラッチラグの可動性を高める要素を、好ましくは、交換可能な要素の壁内にスロットの形で設けることができる。
【００１７】
さらに好ましくは、ラッチラグを、ロッカー（Ｗｉｐｐｅ）の形をした可動領域を介して、交換可能な要素上に一体的に形成することができ、この場合、好ましくは、プレートの方に向く下部領域に押圧領域を配置することができる。
【００１８】
同様に、上記交換可能な要素は、ラッチラグを備える部分的に可動な領域を有することができ、この領域は、交換可能な要素の上部領域を形成し、ラッチラグに対向して位置する押圧領域の操作によって、ラッチラグを凹部から押し出すことができるように、交換可能な要素の下部領域に対して径方向に移動可能に形成される。
【００１９】
ラッチラグの除去を容易にするためのここに示された可能性は、個別に、あるいは組み合わせて用いることができる。
【００２０】
さらなる好ましい実施形態によると、スリーブや交換可能な要素の適当な寸法や構成を用いて、交換可能な要素を工具の助けなしに交換することができるものの、目的とする使用時には交換可能な要素が外されない構造を提供することもできる。これは、スリーブのヘッド領域の方に向く、交換可能な要素の上縁（交換可能な要素を装置に留め付けた場合、スリーブのヘッド領域の下縁と接触する）が、円周方向においてラッチラグの片側又は好ましくは両側に、ポールプレートに向かって軸方向に延びるくぼみを有することによって可能となる。これにより、凹部から取り除くためのラッチラグの変形又は曲げのために用いられるラッチラグの軸方向高さＨと、結果としてラッチラグの自由長が延長される。このより長いレバー、及び、特に、交換可能な要素の上縁がスリーブのヘッド領域にある凹部に円周方向に直接隣接して延びないという事実により、交換可能な要素のカフ（Ｍａｎｓｃｈｅｔｔｅ）がラッチラグの領域及び走行方向においてより弾力的となり、その結果、ラッチラグは、工具を用いずに、径方向に凹部から外へと十分に持ち上げることができる。このとき、軸方向高さＨは、好ましくは、くぼみのない（すなわち、上縁が単純に外縁の周りを延びる、又は場合によりわずかに傾斜して外縁の周りを延びる状況とみなした）ラッチラグの高さｈより少なくとも１．５倍大きい、好ましくは１．７５倍大きい。凹部におけるラッチラグの形状結合の解除をさらに容易にするために、好ましくは、円周方向におけるラッチラグの横の側面の１つ又は両方を、傾斜させて形成することができる。
【００２１】
好ましくは、上記プレート領域は補強リブを有し、これは、有利には、ラッチラグ（例えば、ラッチラグの真下、又は加えてラッチラグの外側）からプレート領域の径方向先端部まで、あるいは、少なくとも部分的にプレート領域上を外に向かって延びる。従って、上記リブは、ラッチラグとプレート領域との間の連結を形成する。径方向先端部は、好ましくは、上記プレート領域が−走行方向と反対の方向に測定して−最大径を有する位置に配置される。上記補強リブ、又はプレート領域の別の領域にも、１以上の凹部、切り込み、又は切り欠きを有することができ、これは、材料の節約、従って交換可能な要素の重量の削減につながる。上記リブは、プレート領域が下向きに押されると、ラッチラグも径方向外側に及びスリーブ内の凹部から外へと効果的に動かされるという事実をもたらし、又はこれを強める。これは、ある程度、補強リブによって、プレート領域の傾斜をラッチラグに直接的に又は間接的に連結させるので、これにより、プレート領域上に下向きに圧力が加わると、ラッチラグ又はその真下の交換可能な要素上に、補強リブを介して外側への引っ張りが生じ、ラッチラグが凹部から外へと持ち上げられ、その結果、交換可能な要素をスリーブに対して回転させることができる。
【００２２】
土台（Ｕｎｔｅｒｌａｇｅ）へのグリップのよさを高めるために、上記プレート領域は、特に好ましい実施形態により、特に、交換可能な要素が比較的径の大きいプレート領域を備える標準的なノルディック用の変形例の場合、その下側端部の下面に歯を有し、この歯は、好ましくは、下縁に沿って、プレート領域の周囲の一部、特に、後方、すなわち走行方向において後方の部分の周りに延びる。
【００２３】
スリーブのボディ領域上の雄ねじは、好ましくは、ヘッド領域から軸方向に距離をおいて配置される、つまり、ボディ領域は、ヘッド領域と雄ねじの間にねじ山を持たない上部円筒状部分を有する。ヘッド領域は、好ましくは、スリーブのボディ領域から環状の第１の段部によって分離される。この第１の段部、又は、結果として形成されるヘッド領域の下縁は、有利には、交換可能な要素をスリーブ上に留め付ける際、交換可能な要素の上側端部にある、交換可能な要素の上縁のための上側止め部を形成する。
【００２４】
スリーブの上側端部にあるスリーブの上縁は、好ましくは、ポールの長手軸に垂直に延びる平面に対して傾けて配置される平面で延びる。これは、スリーブが、−ポールの長手軸に平行な長手方向に測定して−スリーブの上縁からスリーブの下側端部にあるスリーブの下縁まで測定したとき、スリーブの前方側と後方側で異なる長さを有するという効果をもつ。
【００２５】
好ましい実施形態において、スリーブのヘッド領域は円錐状に形成され、ヘッド領域の径が、ボディ領域に向かって下向きに広がっている。スリーブのヘッド領域の上述の下縁は、好ましくは、交換可能な要素の上側端部にある交換可能な要素の上縁と同じ径を有する。
【００２６】
好ましくは、スリーブ又は交換可能な要素のいずれか、あるいは、特に好ましくはスリーブと交換可能な要素の両方は、少なくとも領域的に、プラスチック材料、好ましくは熱可塑性プラスチック材料からなる。特に好ましくは、前記プラスチックは熱可塑性ポリアミド、好ましくは、ポリアミド６、ポリアミド１２、ポリアミド６６、ポリアミド１２６又はポリアミド６１２等の、脂肪族ポリアミドである。上記材料は、好ましくは、通常の使用温度で柔らかすぎず、低温で脆すぎず、特にラッチラグの可動性に対し十分な柔軟性をもちながら、十分な衝撃靭性をもつように選択される。従って、曲げ係数は、通常、２３℃で２．５〜３．５の範囲、好ましくは、２．７５〜３ＭＰａの範囲でなければならず、−４０℃で好ましくは２．５〜４の範囲、特に好ましくは３〜３．７５ＭＰａの範囲でなければならない。スリーブと交換可能な要素は、それらの構成が別々であることにより、例えば機能、取り付け又は耐耗性に関するその特性を異なるように構成するために、異なる材料から製造することもできる。
【００２７】
本発明は、さらに、上側自由端部にポールの取っ手を備えるポール管を有し、前記ポール管の下側自由端部、つまり、ポール先端部に向く、又は使用時に土台に向く自由端部が、上記実施形態の１つに記載のアタッチメントを有する、ポール、特にトレッキングポール、クロスカントリースキーポール、ノルディックウォーキングポール、又はアルペンスキーポールに関する。前記スリーブは、好ましくは、前記ポール管の下側自由端部に、好ましくは接着接合又はプレス加工により、固定して取り付けられる。
【００２８】
さらなる例示の実施形態を、従属請求項に記載する。
【図面の簡単な説明】
【００２９】
本発明の好ましい実施形態を、図をもとにして以下に説明するが、これらの図は、説明のためだけのものであって、本発明を限定するものと解釈されるべきではない。
【００３０】
【図１】図１は、「スケーティング」用−ポールプレートの形をした本発明の第１の好ましい例示の実施形態による交換可能な要素を留め付けた、ポール管の下側端部に取り付けたアタッチメントの概略図であり、後方右側からの斜視図で示したものである。
【図２】図２は、図１のアタッチメントの概略図を、前方左側からの斜視図で示したものである。
【図３】図３は、スリーブを上に取り付けた図１のポール管の下側端部のアタッチメントの後方左側からの図であり、図１〜２の交換可能な要素をスリーブから取り外し、図１〜２の前記第１の好ましい例示の実施形態による交換可能な要素の、「ノルディック」用−ポールプレートの形をした第２の好ましい例示の実施形態による交換可能な要素との交換可能性を示したものである。
【図４】図４は、「スケーティング」用−ポールプレートの形をした前記第１の好ましい実施形態による交換可能な要素を備えた図１のアタッチメントの、前方から見た概略図である。
【図５】図５は、図４の軸方向のＡ−Ａ線に沿った断面図である。
【図６】図６は、「ノルディック」用−ポールプレートの形をした前記第２の好ましい実施形態による交換可能な要素を備えた図１のアタッチメントの、前方から見た概略図である。
【図７】図７は、図６の軸方向のＢ−Ｂ線に沿った断面図である。
【図８】図８は、図１のアタッチメントの概略図であり、「スケーティング」用−ポールプレートの形をした前記第１の好ましい例示の実施形態による交換可能な要素の、「ノルディック」用−ポールプレートの形をした前記第２の好ましい例示の実施形態による交換可能な要素との交換可能性を、後方からの、つまり走行方向に沿って後方からの概略図で示したものである。
【図９】図９は、前記第１の好ましい例示の実施形態による交換可能な要素を備えた、図８のアタッチメントの概略図を示し、さらにその右隣りに、前記第２の好ましい例示の実施形態による交換可能な要素をポールの長手軸に沿って上から見た図を示す。
【図１０】図１０は、前記第１の好ましい例示の実施形態による交換可能な要素を備えた、図８のアタッチメントの概略図と、さらにその右隣りに、前記第２の好ましい例示の実施形態による交換可能な要素を、右からの側面図で示す。
【図１１】図１１は、前記第１の好ましい例示の実施形態による交換可能な要素を備えた、図８のアタッチメントの概略図と、さらにその右隣りに、前記第２の好ましい例示の実施形態による交換可能な要素を、ポールの長手軸に沿って下から見た図で示す。
【図１２】図１２は、交換可能な要素の様々なさらなる実施形態を示し、ａ）は工具が利用できる凹部を備えた構造を示し、ｂ）は、ラッチラグの突出する領域を備えた構造を示し、ｃ）は、ラッチラグの可動性をよくするためのスロットを備えた構造を示し、ｄ）は、ラッチラグがロッカーの形に構成されている構造を示し、ｅ）は、ラッチラグを備える交換可能な要素の全領域を径方向に可動に形成した構造を示す。
【図１３】図１３は、さらなる例示の実施形態の図であり、交換可能な要素をスケーティングプレートとして形成し、ａ）は斜め後方上部からの斜視図を提供し（それぞれ走行方向に対し）、ｂ）は斜め前方上部からの斜視図を提供し、ｃ）は前方からの図を提供し、ｄ）は図ｃ）のＡ−Ａ線による断面図を提供する。
【図１４】図１４は、さらなる交換可能な要素、平均的大きさのノルディックプレート（それぞれ中央）及び大きいノルディックプレート（それぞれ右側）を備えた、図１３の例示の実施形態の図であり、ａ）は、交換可能な要素のないスリーブを留め付けたポール管を示し、ｂ）は、図ａ）のスリーブ上に交換可能に装着することのできる様々な考えられる交換可能な要素を斜め後方上部からの斜視図で示し（それぞれ走行方向に対して）、ｃ）は後方からの図を示し、ｄ）は上からの図を示す。
【発明を実施するための形態】
【００３１】
図１及び２は、それぞれ、第１の例示の実施形態によるアタッチメントを上に取り付けた、ポール管１の下側部分を示す。これら２つの図においては、それぞれ、交換可能な要素２がスリーブ３に留め付けられている。スリーブ３は、ここでは、例えば、接着接合及び／又はプレス加工等の、素材結合（Ｓｔｏｆｆｓｃｈｌｕｅｓｓｉｇｅ）、摩擦結合、又は形状結合によって、ポール管１の下側自由端部２５に固定して留め付けられている。ここでは、交換可能な要素２は、スリーブ３のヘッド領域の下縁１３（図３参照）に、軸方向下方に隣接する。交換可能な要素２は、交換可能な要素の上縁２０から軸方向上方に突出するラッチラグ１２を有する上部領域を有する。交換可能な要素２の中央領域は非対称のプレート領域１１をもち、これは、ここでは、ポールの長手軸Ｓにほぼ垂直な平面Ｅ１において、径方向に、交換可能な要素２の片側に向かってのみ延びる。交換可能な要素２の下部領域は先端部１６を有し、これは、交換可能な要素の下側端部２１にはめ込まれる。図の先端部１６は、交換可能な要素２の、プレート領域１１が延びる側と反対の側に向かう方向（走行方向）に曲げられている。
【００３２】
ポール管１の下側自由端部に取り付けられるスリーブ３を、図３の上側に示す。それによれば、本発明によるアタッチメントは、２つの部分、つまり、スリーブ３と交換可能な要素２又は２’とから構成される。ポール管１の下側自由端部２５はスリーブ３内に挿入され、その中に留め付けられる。スリーブ３は、ヘッド領域４と、このヘッド領域４に軸方向Ｓに下方に隣接するボディ領域５とを有する。ヘッド領域４は、環状の段部７（図５参照）によって形成される下縁１３を有し、この段部にてヘッド領域４がボディ領域５へと移行し、又は、この段部がヘッド領域４とボディ領域５との間の境界を形成する。ヘッド領域４には、前記下縁１３に、ポール取っ手部（図示せず）に向かって、凹部８又は切り込みが設けられ、これが、交換可能な要素２の上縁２０から軸方向に延びるラッチラグ１２の受け入れとラッチングに用いられる。交換可能な要素２をスリーブ３に留め付ける場合、このラッチ装置は、留め付けに加えて、交換可能な要素２を、スリーブ３に対して又はポール管１に対して円周方向Ｕに回転する恐れがないよう形状結合的に留め付けることにより、ねじり防止にも役立つ。これは、図３に示す２つのような非対称のポールプレートの場合、特に重要である。
【００３３】
図３に示した例示の実施形態において、スリーブ３は、ボディ領域５の中央領域において、第１の環状段部７の軸方向下側に、第２の環状段部１４をも有する。ボディ領域５は、この第２の環状段部１４の下に、ボディ領域５の軸方向部分にわたって下へと延びる雄ねじ６を有する。この好ましい実施形態では、スリーブ３の又はスリーブ３のヘッド領域４の上縁９が傾斜面を有する。この傾斜面は、平面Ｅ１（例えば図６参照）に対し傾斜する平面Ｅ２にあり（図７も参照）、平面Ｅ１は、ポールの長手軸Ｓに垂直に延び、且つ、平面Ｅ１内でプレート領域１１，１１’が実質的に延びる。
【００３４】
図３の左側には、スリーブ３の真下に、既に図１及び２で示した第１の好ましい例示の実施形態による交換可能な要素２を示す。この右隣に、第２の好ましい例示の実施形態による交換可能な要素２’を示す。これら２つの交換可能な要素２及び２’の必要に応じた交換可能性を２本の矢印で示す。左側に示す交換可能な要素２は、いわゆる「スケーティング」用−ポールプレートの形で示される。これは、右側に図示した、主として標準的な又はノルディッククロスカントリースポーツに用いられる径の大きないわゆる「ノルディック」用−ポールプレートの形をした交換可能な要素２’とは異なり、例えば、クロスカントリースポーツの「スケーティング」用−変形例で用いられる。
【００３５】
交換可能な要素２，２’の両変形例は非対称なプレート領域１１，１１’を有し、これは、ポール管１から交換可能な要素２，２’の片側だけへ、実質的に走行方向Ｌとは逆の方向に延びる。交換可能な要素２，２’はそれぞれ一体的に形成され、下側端部２１ではめ込まれるか、又はその中に留め付けられる硬質金属又はセラミックの先端部１６を備える。交換可能な要素２，２’は、ポール管１の下側自由端部２５にあるスリーブ３を受け入れるために、止まり穴１５を有する。交換可能な要素２，２’の内部では、止まり穴１５の壁が、図５に示すように、ほぼ止まり穴１５の中間の高さに雌ねじ２１’を有する。雌ねじ２１’は、交換可能な要素２，２’がポールの下側端部上にねじ留めされるとき、スリーブ３の雄ねじ６に係合する。取り付けた端部の位置では、交換可能な要素２，２’の上縁２０のラッチラグ１２が、スリーブ３のヘッド領域４内の上述の対応する凹部８に、実質的に形状結合的に係合する。図示した例示の実施形態におけるラッチラグ１２は、上に向かって先細る輪郭を備えて形成される。
【００３６】
右側に示した交換可能な要素２’は補強リブ１８又は支柱を有し、これは、ラッチラグ１２から、最大径ｄ３の位置にある、プレート領域１１’の径方向先端部２４まで延びる。補強リブ１８は、補強リブ１８が延びる方向に対し横に配置される、通り抜け開口部の形をした凹部１９と、この凹部を取り囲む切り込み又は切り欠き２６をも有し、凹部１９は、材料の節約、従って重量を抑えるために役立つ。
【００３７】
図４は、本発明の第１の例示の実施形態による、すなわち「スケーティング」用−プレートを備えた交換可能な要素２を有する本発明のアタッチメントの図であり、走行方向Ｌとは逆に見た、つまり前から見た図である。ここでは、プレート領域１１全体が、交換可能な要素２の、走行方向Ｌと反対の側に、すなわち走行方向において後方に形成されるのが分かる。交換可能な要素２は、プレート領域１１が配置される位置において、その最も幅の広い位置又は最も幅の広い径ｄ３を有し、上縁２０に向かって及びその下側端部２１に向かって下向きに先細るように形成される。スリーブ３は、スリーブのヘッド領域４だけが交換可能な要素２から外へ突出するように、交換可能な要素２にはめ込まれ、交換可能な要素２の、プレート領域１１の上側に配置される上部領域が、交換可能な要素２の上縁２０で、ヘッド領域４へと事実上継ぎ目なく移行する。この場合、ヘッド領域４の下縁１３は、交換可能な要素２の上縁２０上にのる。図７にも対応して示すように、図５に示すスリーブ３でも、平面Ｅ２（図７参照）において、上縁９が垂直なプレートプロファイル平面Ｅ１に対し傾斜して形成されるため、スリーブ３の後方領域の長さｌ１は、前方領域の長さｌ２より長く形成されている。交換可能な要素２の下部領域は、図４から分かるように、円錐状に下に向かって収束するように形成される。プレート領域１１が実質的に延びる平面Ｅ１は、ポールの長手軸Ｓに垂直に位置する。
【００３８】
図５の断面図では、交換可能な要素１５の止まり穴１５の中央領域において、スリーブの雄ねじ６に、交換可能な要素２の雌ねじ２１’が係合することが分かる。ここでは、ポール管１は、スリーブ３の止まり穴２２に完全に挿入されている。スリーブ３が交換可能な要素２の止まり穴１５に完全に挿入されるとき、このスリーブ３は、小さな軸方向の中間スペース２７によって止まり穴１５の底部から離間する。
【００３９】
図６は、図６のアタッチメントにおいて、第２の好ましい実施形態による、すなわち径のより大きいノルディックプレート領域１１’を備える交換可能な要素２’がスリーブ３上に装着されていること以外は、図４の図に対応する。図６及び図７の断面図では、交換可能な要素２の、プレート領域１１’が配置される領域の径の、前方に向かう、すなわち走行方向Ｌに向かう広がり２８が見られる。図７の交換可能な要素２’の下面２３’は、後方領域に歯１７を有し、この歯はポールに土台へのグリップのよさを付与する。
【００４０】
図８は、再び、交換可能な要素２，２’の２つの変形例の交換可能性を、矢印で図式的に示す。このとき、プレート領域１１，１１’が実質的に延びる平面Ｅ１は、プレート領域１１，１１’の径方向先端部２４（図１１にも示す）と、プレート領域１１，１１’の最大幅ｂ３をもつ位置でのプレート領域１１，１１’の側縁２９の交点とに及ぶ（ａｕｆｇｅｓｐａｎｎｔ）。この平面Ｅ１は、ポールの長手軸Ｓにほぼ垂直に延びる。
【００４１】
図９には、同じ交換可能な要素２，２’の２つの変形例が上から示されており、ポール管１、スリーブ３及び交換可能な要素２，２’の同心配置が分かる。また、ラッチラグ１２が、走行方向Ｌと逆方向に、プレート領域１１，１１’の径方向先端部２４と、この場合補強リブ１８に沿って、径方向に、一直線に並んでいるのが分かる。プレート領域１１，１１’が最大径ｄ３を有する（ポールの長手軸Ｓから走行方向Ｌとは逆に測定して）この位置で下向きに押されると、ラッチラグ１２が凹部８から脱け出し、交換可能な要素２，２’をスリーブ３からねじをゆるめて外すことができる。ラッチラグ１２のこの配置により、プレート領域１１，１１’の機械的な変形が容易になる。
【００４２】
図１０の２つの交換可能な要素２，２’の側面図は、側面の輪郭を示し、２つのプレート変形例の相対的な寸法は、図１１の底面図から容易に分かる。プレート領域１１又は１１’は、プレート領域１１又は１１’の側縁２９の最も離れて突出する領域間に最大幅ｂ３又はｂ３’を有し、この幅は、ポールの長手軸Ｓからの径方向先端部２４の距離である、走行方向Ｌと逆方向に測定した径ｄ３に、直角に測定した幅である。
【００４３】
図１２は、異なる手段を備えた、交換可能な要素の様々なさらなる変形例を示し、これらの手段により、ラッチされた状態での形状結合を解除するために、ラッチラグ１２を凹部８から容易に取り外すことができる。
【００４４】
例えば、図１２ａ）は、凹部８が、ラッチされた状態でのラッチラグ１２の上側自由端部の軸方向上側に、工具、例えばねじ回し３０と係合するための凹部３１をあけておく変形例を示す。解除のためには、ねじ回し３０を前記凹部３１に差し込んで、ねじ回しを傾け、その後交換可能なプレートをねじることができる。
【００４５】
図１２ｂ）は、ラッチラグ１２が、この目的のために、凹部８にラッチされた状態において、少なくとも上部領域でスリーブ３の表面輪郭を越えて突出する３２、変形例を示す。そのため、同様に、工具を用いて、あるいは単に指でも、ラッチラグ１２の上縁をつかんで、ラッチラグを凹部８から取り除くことができる。この変形例は、好ましくは、図１２ａに図示した凹部３１と組み合わせることもできる。
【００４６】
図１２ｃ）は、交換可能な要素２に、ポールプレート１１を押し下げたときのラッチラグ１２の可動性を促進する要素が、この場合、交換可能な要素２の壁内のスロット３３の形で設けられている、さらなる変形例を示す。プレートが押し下げられると、交換可能な要素２の、スロット３３の右側に配置される領域全体がずらされ、これにより、形状結合を容易に解除することができる。負荷時、圧力は図１２ｃ）中の矢印とは別の方向に加わるので、使用時のしっかりした留め付けはやはり保証され得る。
【００４７】
さらなる考えられる構造を、図１２ｄ）に示す。この図では、ラッチラグ１２が、交換可能な要素上のロッカー（Ｗｉｐｐｅ）の形をした可動領域３５を有する。このロッカーは、交換可能な要素２上に一体的に形成され、ある程度旋回点として働く可撓領域３５がある。このロッカーの下部領域に押圧領域３４が形成される場合、この下部領域は、プレートの方に向いており、及び、この下部押圧領域３４を、例えば手で、矢印で示すように押圧する場合、ロッカーは可撓領域３５の周りに傾いて、ラッチラグ１２が凹部８から取り除かれる。
【００４８】
最後に、図１２ｅ）は、交換可能な要素２がラッチラグ１２を備えた部分的に可動な領域３７を有し、前記領域が、交換可能な要素２の上部領域を形成し、交換可能な要素２の下部領域に対し径方向に移動可能に形成される構造を示す。前記部分的に可動な領域は、上部領域のスリーブ３の周りに包囲するように係合し、その結果、ラッチラグ１２に対向して位置する押圧領域３６を、例えば指で操作することによって、ラッチラグ１２を、凹部８から押し出すことができる。この構造は、プレートの負荷時、好ましくない方法で解除される恐れがないという利点を有する。
【００４９】
図１３及び１４は、このような交換可能な先端部のさらなる例示の実施形態を示す。上述の例示の実施形態と同じ又は類似の要素は、同じ参照符号で示す。本例示の実施形態の、上述の例示の実施形態との実質的な違いは、交換可能な要素２の上縁２０が特別な形状をしていることである。上記例示の実施形態の場合、上縁はほぼ同じ高さで延び、つまり、ある程度円形に取り囲んで、ラッチラグ１２まで軸方向に同じ高さで延びるが、本例示の実施形態では、ラッチラグ１２の両側にそれぞれ前記上縁２０内のくぼみ３８がある。上縁２０の、ラッチラグ１２に隣接する領域では、両側がプレートの方へと後退し、２つのくぼみ３８を形成する。これにより、ラッチラグ１２は、くぼみなしでは上縁２０の通常の高さに対する高さｈを有し（図１４ｃを参照）、２つのくぼみ３８がラッチラグから側方に配置される結果、実質的により大きな高さＨを有することになる。好ましくは、このとき、この２つのくぼみ３８は、軸方向において、２つのくぼみ３８なしのラッチラグの高さｈの少なくとも半分の長さであり、特に好ましくは、くぼみを考慮した高さＨは、２つのくぼみなしの高さｈの大きさのほぼ２倍である。
【００５０】
これは、舌状の軸方向ラッチラグ１２がより長くなり、その結果、ラッチラグ１２を曲げることに使用できる長さも長くなることを意味する。これにより、くぼみ８が、軸方向にかなりの長さ（示した実施例では３〜５ｍｍ）を有し、その結果、係合時に、ラッチラグ１２による優れた形状結合が提供される構造が可能となる。他方、切り欠き３８により、ラッチラグ１２は、交換可能な要素を、工具なしで、単にいくらか大き目の始動力をかけることによっても回転させて取り外すことができるほど十分に柔軟であり、ラッチラグ１２を、前記力によってくぼみ８から押し出すことができる。この操作を容易にするために、ポールの軸に対し径方向に延びる横の側面３９を、ポール軸に向かって収束するように形成する。こうして、ラッチされている交換可能な要素に回転力がかかると、斜めの側面３９（そのとき凹部８の横の境界と接触している）によって径方向外側に向く力成分が生じ、これにより、ラッチラグが凹部８内で解除不可能にかまずに、むしろ単に十分に高められた解除力を用いて初めて解放されることが可能となる。
【００５１】
図１４においてそれぞれ異なる交換可能性に対して示した、これによって可能となる工具なしで交換可能な形状は、交換可能な要素の解放力が、使用中は交換可能な要素を取り外せないが、使用者は依然工具なしで且つ過剰な力を使わずに、交換可能な要素を回転によりひねって外すことができる大きさとなるように、対応する材料の選択（例えば、ポリアミド６６）や寸法（例えば、約９ｍｍのＨ、約４〜５ｍｍのｈ、約２ｍｍのラッチラグの径方向の厚み、及び、３〜５ｍｍのラッチラグの円周方向の幅、５ｍｍの範囲の上縁の高さにあるくぼみ３８の円周方向の長さ）により調整される。
【符号の説明】
【００５２】
１        ポール管
２        交換可能な要素（スケーティング変形例）
２’      交換可能な要素（ノルディック変形例）
３        スリーブ
４        ３のヘッド領域
５        ３のボディ領域
６        ３上の雄ねじ
７        ４，５の間の３上の第１の段部
８        １２のための４内の凹部
９        ３の環状の上縁
１０      ３の環状の下縁
１１      ２のプレート領域（スケーティングプレート）
１１’    ２’のプレート領域（ノルディックプレート）
１２      ２，２’上のラッチラグ
１３      ４の下縁
１４      ３上の第２の段部
１５      ３のための２，２’内の止まり穴
１６      ２，２’内／上の先端部
１７      ２３’上の歯
１８      ２’上の補強リブ
１９      １８内の凹部
２０      ２，２’の上縁
２１      ２，２’の下側端部
２１’    １５内の雌ねじ
２２      １のための３内の止まり穴
２３      １１の下面
２３’    １１’の下面
２４      １１，１１’の径方向先端部
２５      １の下側自由端部
２６      １８内の切り込み／切り欠き
２７      １５内の軸方向中間スペース
２８      ２’上の広がり
２９      １１，１１’の側縁
３０      ねじ回し
３１      ４内の１２の上方のあいたままの凹部
３２      １２の径方向外側に突出する領域
３３      ２の壁内のスロット
３４      １２の押圧領域
３５      １２の柔軟な留め付け領域
３６      対向して位置する押圧領域
３７      ２の部分的に可動な領域
３８      環状の上縁２０内の切り欠き
３９      １２の横の側面
ｈ        ３８のないラッチラグ１２の軸方向高さ
Ｈ        ３８のあるラッチラグ１２の軸方向高さ
Ｌ        走行方向
Ｓ        ポールの長手軸
Ｕ        円周方向
ｌ１      後方領域における３の長さ
ｌ２      前方領域における３の長さ
ｂ３      １１の幅
ｂ３’    １１’の幅
ｄ１      ９上の４の径
ｄ２      １３上の４の径
ｄ３      １１の最大径
ｄ３’    １１’の最大径
Ｅ１      ポールの長手軸Ｓに垂直な平面、しばしばプレート平面、又はそれに平行な平面
Ｅ２      ポール管１の周りに係合するスリーブの露出される上縁によって形成される平面。
【図１】
2018514294.tif 000003
【図２】
2018514294.tif 000004
【図３】
2018514294.tif 000005
【図４】
2018514294.tif 000006
【図５】
2018514294.tif 000007
【図６】
2018514294.tif 000008
【図７】
2018514294.tif 000009
【図８】
2018514294.tif 000010
【図９】
2018514294.tif 000011
【図１０】
2018514294.tif 000012
【図１１】
2018514294.tif 000013
【図１２ａ）】
2018514294.tif 000014
【図１２ｂ）】
2018514294.tif 000015
【図１２ｃ）】
2018514294.tif 000016
【図１２ｄ）】
2018514294.tif 000017
【図１２ｅ）】
2018514294.tif 000018
【図１３ａ）】
2018514294.tif 000019
【図１３ｂ）】
2018514294.tif 000020
【図１３ｃ）】
2018514294.tif 000021
【図１３ｄ）】
2018514294.tif 000022
【図１４】
2018514294.tif 000023
【国際調査報告】
2018514294.tif 000024
2018514294.tif 000025
2018514294.tif 000026
2018514294.tif 000027
2018514294.tif 000028
2018514294.tif 000029